(57)【要約】【課題】  停電復旧に時間がかかった場合でも、通信システム内に分散した余剰電力源から重要な緊急用電話機等の優先度の高い通信経路の電力供給を確実に継続することが可能な停電時給電制御機能を有する通信システムを提供する。【解決手段】  通信制御装置が設置されているエリアの停電を検知した場合に、停電時における給電先および受電元に係る情報を参照し、接続された中継装置のいずれかへ自通信制御装置への給電を要求するコマンドを送信し、自通信制御装置が有する蓄電手段に蓄積されている電力または前記コマンドを送信した先の中継装置から受電した電力を、所定の給電先へ給電することを特徴とする【選択図】    図１
2015192358.tif 000002
【特許請求の範囲】
【請求項１】
給電機能および受電機能を有する通信制御装置と、前記通信制御装置に帰属する１以上の通信端末と、前記通信制御装置と前記通信端末との間で通信データおよび電力を中継する１以上の中継装置と、から構成される給電機能を有する通信システムであって、
前記中継装置は、
受電した電力を蓄電する中継装置側蓄電手段と、前記通信制御装置から給電の起動停止または給電先に係る給電制御コマンドを受信する給電制御コマンド受信手段と、前記受信した給電制御コマンドに応じて、受電した電力を前記通信端末へ給電する給電手段および蓄電した電力を前記通信制御装置との間で授受する中継装置側電力授受手段と、を有し、
前記通信制御装置は、
受電した電力を蓄電する通信制御装置側蓄電手段と、自通信制御装置が設置されているエリアの停電を検知する停電検知手段と、前記中継装置との間で電力を授受する通信制御装置側電力授受手段と、前記中継装置へ前記給電制御コマンドを送信する給電制御コマンド送信手段と、停電時における給電先および受電元に係る情報を予め登録しておく停電時給電受電情報登録手段と、停電時に前記停電時給電受電情報登録手段を参照して給電に係る制御を実行する停電時給電制御手段と、を有し、
前記停電検知手段が停電を検知した場合に、前記停電時給電受電情報登録手段を参照し、前記給電制御コマンド送信手段は、前記中継装置のいずれかへ自通信制御装置への給電を要求するコマンドを送信し、前記停電時給電制御手段は、前記通信制御装置側蓄電手段に蓄積されている電力または前記コマンドを送信した先の中継装置から受電した電力を、所定の給電先へ給電することを特徴とする停電時給電制御機能を有する通信システム。
【発明の詳細な説明】
【技術分野】
【０００１】
本発明は、通信制御装置と中継装置が、電力を授受する手段を具備しており、停電等により商用電源から電力が給電されない場合に、内蔵または外部からのバックアップ電源を利用して、重要な通信経路を確保すると共に、通信システム内に分散した余剰バックアップ電源から重要な通信経路確保のために、電力を収集し、緊急用電話機等の優先度の高い特定受電機器への電力供給を、確実に継続することが可能な通信システムに関する。
【背景技術】
【０００２】
近年、電話等の通信コストを削減するため、ＩＰ（Ｉｎｔｅｒｎｅｔ  Ｐｒｏｔｏｃｏｌ）内線端末が収容可能なＩＰ電話システムが普及している。また、ＩＰ内線端末は、ＩＥＥＥ８０２．３ａｆ準拠の受電機能を具備し、ＩＥＥＥ８０２．３ａｆ準拠の給電機能を持ち合わせた給電ハブ装置または給電装置から電力供給を受電することにより動作可能となっているため、商用電源から電力を受電するための電源アダプタが不要となっている。
【０００３】
しかしながら、ＩＰ内線端末は、高速なＬＡＮ（Ｌｏｃａｌ  Ａｒｅａ  Ｎｅｔｗｏｒｋ）用インタフェースＬＳＩ（Ｌａｒｇｅ  Ｓｃａｌｅ  Ｉｎｔｅｇｒａｔｉｏｎ）や高速な制御用ＣＰＵ（Ｃｅｎｔｒａｌ  Ｐｒｏｃｅｓｓｉｎｇ  Ｕｎｉｔ）を必要とするため、従来の電話システムに比べて消費電力が２ 〜 ３倍になる上に、音声通話用の電話機としてだけでなく、データ通信や動画像通信等も可能な情報機器へと発展しつつあるため、他のビジネス機器と比べても無視できない消費電力となっている。
【０００４】
これを解決する方法として、給電ハブ装置または給電中継装置に、自身の給電ポートに接続された受電機器への給電を停止または再開する給電断続制御手段を具備し、給電管理機能を有するサーバからの指示により、受電機器への電力を断続的に制御することで、システム電力を効率的に使用する技術がある（例えば、特許文献１）。
【０００５】
しかしながら、特許文献１に記載された技術は、通信システム内にバックアップ電源が複数ある場合の考慮が不足している。停電復旧に時間がかかった場合でも、緊急用電話機等の優先度の高い特定通信経路への電力供給が確実に継続されることが望まれる。
【先行技術文献】
【特許文献】
【０００６】
【特許文献１】特開２００７−２８１６２８号公報
【発明の概要】
【発明が解決しようとする課題】
【０００７】
そこで、本発明の課題は、停電復旧に時間がかかった場合でも、予め登録した給電受電情報に応じて、自動的に電力授受を切替えることで、通信システム内に分散した余剰電力源から重要な緊急用電話機等の優先度の高い通信経路の電力供給を確実に継続することが可能な停電時給電制御機能を有する通信システムを提供することにある。
【課題を解決するための手段】
【０００８】
上記の課題を解決するために、本発明は給電機能および受電機能を有する通信制御装置と、前記通信制御装置に帰属する１以上の通信端末と、前記通信制御装置と前記通信端末との間で通信データおよび電力を中継する１以上の中継装置と、から構成される給電機能を有する通信システムであって、前記中継装置は、受電した電力を蓄電する中継装置側蓄電手段と、前記通信制御装置から給電の起動停止または給電先に係る給電制御コマンドを受信する給電制御コマンド受信手段と、前記受信した給電制御コマンドに応じて、受電した電力を前記通信端末へ給電する給電手段および蓄電した電力を前記通信制御装置との間で授受する中継装置側電力授受手段と、を有し、前記通信制御装置は、受電した電力を蓄電する通信制御装置側蓄電手段と、自通信制御装置が設置されているエリアの停電を検知する停電検知手段と、前記中継装置との間で電力を授受する通信制御装置側電力授受手段と、前記中継装置へ前記給電制御コマンドを送信する給電制御コマンド送信手段と、停電時における給電先および受電元に係る情報を予め登録しておく停電時給電受電情報登録手段と、停電時に前記停電時給電受電情報登録手段を参照して給電に係る制御を実行する停電時給電制御手段と、を有し、前記停電検知手段が停電を検知した場合に、前記停電時給電受電情報登録手段を参照し、前記給電制御コマンド送信手段は、前記中継装置のいずれかへ自通信制御装置への給電を要求するコマンドを送信し、前記停電時給電制御手段は、前記通信制御装置側蓄電手段に蓄積されている電力または前記コマンドを送信した先の中継装置から受電した電力を、所定の給電先へ給電することを特徴とする。
【発明の効果】
【０００９】
本発明によれば、停電時、停電復旧に時間がかかった場合でも、分散した余剰電力源を重要な緊急用電話機等の優先度の高い通信経路への電力供給を確実に継続することが可能である。
【図面の簡単な説明】
【００１０】
【図１】本発明による通信システムの構成図の例
【図２】本発明による通信システムの通信制御装置１の内部ブロック図の例
【図３】本発明による通信システムの中継装置２の内部ブロック図の例
【図４】通信制御装置１の停電時給電受電情報登録部１０１に登録されたデータの例
【図５】本発明による通信システムの中継装置２の動作フローチャート
【図６】本発明による通信システムの通信制御装置１の動作フローチャート
【発明を実施するための形態】
【００１１】
以下、本発明の実施形態について、図面を用いて説明する。
【００１２】
図１は、本発明を適用した通信システムの構成図の例であって、通信制御装置１、中継装置２Ａ、２Ｂ、通信端末３Ａ、３Ｂ、３Ｃ、３Ｄから構成され、通信制御装置１、中継装置２Ａ、２Ｂ、通信端末３Ａ、３Ｂ、３Ｃ、３Ｄは、ＬＡＮケーブル４で接続される。
【００１３】
通信制御装置１は、中継装置２Ａ、２Ｂを経由して通信端末３Ａ、３Ｂ、３Ｃ、３Ｄと通信する。ここで、本実施例は簡単化のために、通信制御装置１に接続された中継装置２Ａ、２Ｂを２台、通信端末３Ａ、３Ｂ、３Ｃ、３Ｄを４台として説明しているが、その限りではない。
【００１４】
ここで、通信制御装置１は、例えば電話システムの主装置やメールシステムのサーバが相当する。また、給電ハブで有っても良い。さらに、通信端末３Ａ、３Ｂ、３Ｃ、３Ｄは、例えば電話システムの電話機やメールシステムの端末、ＡＰ（Ａｃｃｅｓｓ  Ｐｏｉｎｔ）、ウェブカメラが相当する。また、給電ハブで有っても良い。
【００１５】
図２は、本発明を適用した通信システムの通信制御装置１の内部ブロック図の例である。通信制御装置１は、停電時給電受電情報登録部１０１、主制御部１０２、給電制御コマンド送信部１０３、データ送受信部１０４、蓄電部１０５、電源回路１０６、商用電源受電部１０７、スイッチ１０８、停電時給電制御部１０９、停電検知部１１０、ＬＡＮ回線対応部１１Ａ、１１Ｂから構成される。ＬＡＮ回線対応部１１Ａ、１１Ｂは、データ送受信部１１１、電力授受部１１２、ＬＡＮポート１１３から構成される。ここで、本実施例は簡単化のために、ＬＡＮ回線対応部１１Ａ、１１Ｂを２ポートとして説明しているが、その限りではない。
【００１６】
主制御部１０２は、通信制御装置１の通信制御や給電制御に係わる処理全般の制御を実行する手段である。
【００１７】
本実施例において通信制御装置１は、電源としては商用電源受電部１０７からの電力と、蓄電部１０５に充電された電力と、中継装置２からＬＡＮポートを介して受電する電力授受部１１２からの電力の３系統がある。電源回路１０６は、これら３系統の電力のいずれかの電力から必要な電圧を生成して通信制御装置１内の各部に給電すると共に、電力授受部１１２、ＬＡＮポート１１３を介して、中継装置２Ａ、２Ｂに、例えばＩＥＥＥ８０２．３ａｆの規格に準拠した給電をする。
【００１８】
蓄電部１０５はバックアップ電源であって、通信制御装置１が商用電源からの電力で稼働している間に、商用電源受電部１０７、電源回路１０６を介して充電を行い、前記商用電源が停電した場合には電源回路１０６に対して給電を行う。
【００１９】
本実施例では、停電用のバックアップ電源を通信制御装置１内部に具備する構成としているが、外部バックアップ電源から給電可能としても良い。
【００２０】
スイッチ１０８は、データ送受信部１０４、１１１を介して、主制御部１０２とＬＡＮポート１１３または、ＬＡＮポート１１３とＬＡＮ回線対応部１１ＢのＬＡＮポート（図示せず）と音声情報や画像情報やデータ通信等のデータの転送処理を行う手段であり、このような一般的なデータ転送に係わる処理は、通常の電話システムやメールシステムやハブ機能と同じである。
【００２１】
停電時給電受電情報登録部１０１は、停電時に緊急用電話機等の優先度の高い特定受電機器へ電力を供給する対象を登録しておく手段である。なお、停電時給電受電情報登録部１０１への登録は、登録用の端末（ＰＣ等）から行うようにしても良いし（図示せず）、通信端末３からの操作で登録できるようにしても良い。
【００２２】
停電検知部１１０は、蓄電部１０５の給電状態を監視しており、前記蓄電部１０５が給電状態になった場合、すなわち停電が発生した場合、主制御部１０２へ停電が発生したことを通知する。また停電検知部１１０は、定期的に前記蓄電部１０５が供給可能な残電力量を確認し、主制御部１０２へ通知する。
【００２３】
停電発生通知を受けた主制御部１０２は、データ送受信部１０４を経由して、中継装置２Ａ、２Ｂの残電力量情報を取得して、前記停電時給電受電情報登録部１０１に登録された重要通信経路の電力が不足していないかを判断する。電力が不足している場合は、停電時給電受電情報登録部１０１を参照し、重要通信経路ではないバックアップ電源を備えた中継装置２、すなわち電力収集可能先を抽出し、該当の電力授受部１１２を受電モードに切替える処理を停電時給電制御部１０９に指示する。
【００２４】
その後、給電制御コマンド送信部１０３は、主制御部１０２の指示により、データ送受信部１０４を介して前記抽出した該当中継装置２に電力を供給する給電モードに移行する起動コマンドを発行する手段で、停電が復旧した場合は、主制御部１０２の指示により、該当中継装置２に対して、給電モードから受電モードに切替える停止コマンドを発行する手段である。
【００２５】
停電時給電制御部１０９は、主制御部１０２の指示により、停電時に給電を停止する中継装置２に対して、給電停止の処理を行う手段である。更に停電復旧に時間がかかり、主制御部１０２が重要通信経路の電力確保を必要と判断した場合、主制御部１０２の指示により、該当の電力授受部１１２に対して、給電モードから受電モードに切替える処理を行う手段で、停電が復旧した場合は、主制御部１０２の指示により、該当の電力授受部１１２に対して、受電モードから給電モードに切替える処理を行う手段である。
【００２６】
電力授受部１１２は、商用電源受電部１０７からの電力供給がある場合、電源回路１０６からＬＡＮポートに接続された通信端末３に電力を供給する手段で、停電時は、停電復旧に時間がかかり、主制御部１０２が重要通信経路の電力確保を必要と判断した場合は、停電時給電制御部１０９の指示により、給電モードから受電モードに切替え、ＬＡＮポートに接続した電力収集先より受電した電力を電源回路１０６に供給する。また停電が復旧した場合、停電時給電制御部１０９の指示により、受電モードから給電モードに切替える手段である。
【００２７】
図３は、本発明を適用した通信システムの中継装置２の内部ブロック図の例である。中継装置２は、ＬＡＮポート（Ｕｐ）２０１、電力授受部２０２、給電制御コマンド受信部２０３、データ送受信部２０４、蓄電部２０５、電源回路２０６、商用電源受電部２０７、スイッチ２０８、ＬＡＮ回線対応部２１Ａ、２１Ｂから構成される。ＬＡＮ回線対応部２１Ａ、２１Ｂは、データ送受信部２１１、給電部２１２、ＬＡＮポート（Ｄｏｗｎ）２１３から構成される。ここで、本実施例は簡単化のために、ＬＡＮ回線対応部２１Ａ、２１Ｂを２ポートとして説明しているが、その限りではない。
【００２８】
本実施例において中継装置２は、電源としては商用電源受電部２０７からの電力と、蓄電部２０５に充電された電力と、通信制御装置１からＬＡＮポート（Ｕｐ）２０１を介して受電する電力授受部２０２からの電力の３系統がある。電源回路２０６は、これら３系統の電力のいずれかの電力から必要な電圧を生成して中継装置２内の各部に給電すると共に、給電部２１２、ＬＡＮポート（Ｄｏｗｎ）２１３を介して、通信端末３に、例えばＩＥＥＥ８０２．３ａｆの規格に準拠した給電をする。
【００２９】
蓄電部２０５はバックアップ電源であって、中継装置２が商用電源からの電力で稼働している間に、商用電源受電部２０７、電源回路２０６を介して充電を行い、前記商用電源が停電した場合には電源回路２０６に対して給電を行う。
【００３０】
本実施例では、停電用のバックアップ電源を中継装置２内部に具備する構成としているが、外部バックアップ電源から給電可能としても良い。
【００３１】
スイッチ２０８は、データ送受信部２０４、２１１を介して、ＬＡＮポート（Ｕｐ）２０１とＬＡＮポート（Ｄｏｗｎ）２１３または、ＬＡＮポート（Ｄｏｗｎ）２１３とＬＡＮ回線対応部２１ＢのＬＡＮポート（図示せず）と音声情報や画像情報やデータ通信等のデータの転送処理を行う手段であり、このような一般的なデータ転送に係わる処理は、通常の電話システムやメールシステムやハブ機能と同じである。
【００３２】
給電制御コマンド受信部２０３は、前記主制御部１０２から電力収集可能対象に発行される前記起動コマンドまたは停止コマンドをＬＡＮポート（Ｕｐ）２０１、データ送受信部２０４、スイッチ２０８を介して受信する手段である。
【００３３】
給電制御コマンド受信部２０３は、前記給電制御コマンド送信部１０３から受信した起動コマンドにより電力授受部２０２に対して、受電モードから給電モードに切替える処理を行う手段で、停電が復旧した場合は、前記給電制御コマンド送信部１０３が発行した停止コマンドを前記給電制御コマンド受信部２０３が受信し、電力授受部２０２に対して、給電モードから受電モードに切替える処理を行う手段である。
【００３４】
電力授受部２０２は、停電時、停電復旧に時間がかかり、前記主制御部１０２が重要通信経路の電力確保を必要と判断した場合は、前記給電制御コマンド送信部１０３から受信した起動コマンドより、受電モードから給電モードに切替え、ＬＡＮポート（Ｕｐ）に接続された受電モードの通信制御装置１に電力を供給する。また停電が復旧した場合、前記給電制御コマンド送信部１０３から受信した停止コマンドより、給電モードから受電モードに切替える手段である。また、通信制御装置１からの電力供給がある場合、電源回路２０６に供給する。
【００３５】
給電部２１２は、電源回路２０６に商用電源受電部２０７または電力授受部２０２からの電力供給がある場合、電源回路２０６からＬＡＮポート（Ｄｏｗｎ）２１３に接続された通信端末３に電力を給電する手段である。
【００３６】
図４は、通信制御装置１の停電時給電受電情報登録部１０１に登録されたデータの例である。停電時給電受電情報登録部１０１は、停電時における給電先および受電元に係る情報を予め登録しておく手段である。例えば、停電時に緊急用電話機等の優先度の高い特定受電機器へ電力を供給する対象に起動コマンドまた停止コマンドを送信すべき１以上の中継装置２などバックアップ電源を有する通信装置などを登録しておく手段である。
【００３７】
尚、停電時給電受電情報登録部１０１への登録は、登録用の端末（ＰＣ等）から行うようにしても良いし（図示せず）、通信端末３からの操作で登録できるようにしても良い。
【００３８】
通信制御装置１の各ＬＡＮポート(列３０１)に接続されている中継装置２（列３０２）に対して、停電時に給電するかまたは、受電するか（列３０３）が登録されている。
【００３９】
行３１１は、通信制御装置１のＬＡＮポート１（列３０１）に中継装置２Ａ（列３０２）が接続されており、停電時給電受電情報（列３０３）には給電と登録されていることを示している。すなわち、中継装置２Ａは停電時に電力を確保すべき重要な緊急用電話機等が設置されている事を示している。また、停電時給電受電情報（列３０３）に受電が設定されていない中継装置２Ｂは、停電時に電力を確保すべき重要な緊急用電話機等が設置されておらず、停電時に電力を受電してもよい対象である事を示している。
【００４０】
図５、本発明による通信システムの中継装置２の動作フローチャートである。Ｓ４００において、本フローは電源が投入された状態でスタートする。以下、図１〜５を併用して本フローを説明する。
【００４１】
尚、一般的な音声情報または画像情報やデータ通信等のパケット転送処理は、通常のハブ機能と同じであるので、その詳細は割愛する。
【００４２】
給電制御コマンド受信部２０３は、通信制御装置１から起動コマンドを受信した場合（Ｓ４０１、ＹＥＳ）に、電力授受部２０２を給電モードに切替える（Ｓ４０２）。Ｓ４０１、ＮＯの場合はＳ４０１に戻る。
【００４３】
Ｓ４０３で給電制御コマンド受信部２０３は、通信制御装置１から停止コマンドを受信した場合（Ｓ４０３、ＹＥＳ）に、電力授受部２０２を受電モードに切替え（Ｓ４０４）、Ｓ４０１に戻る。Ｓ４０３、ＮＯの場合はＳ４０３に戻る。
【００４４】
図６は、本発明による通信システムの通信制御装置１の動作フローチャートである。Ｓ５００において、本フローは電源が投入された状態でスタートする。以下、図１〜６を併用して本フローを説明する。
【００４５】
尚、一般的な音声情報または画像情報やデータ通信等に係わる処理は、通常の通信装置と同じであるので、その詳細は割愛する。
【００４６】
主制御部１０２は、停電検知部１１０からの通知により、停電中か否かを判断し、停電中の場合（Ｓ５０１、ＹＥＳ）はＳ５０２へ、通常稼働中の場合（Ｓ５０１、ＮＯ）はＳ５２１に進む。
【００４７】
Ｓ５２１で主制御部１０２は、登録用の端末（ＰＣ等）から停電時給電受電情報登録部１０１への登録が有るか否かを確認し、登録無しの場合（Ｓ５２１、ＮＯ）はＳ５０１戻り、登録有りの場合（Ｓ５２１、ＹＥＳ）は、停電時給電受電情報登録部１０１の登録データを更新（Ｓ５２２）後、Ｓ５０１に戻る。
【００４８】
Ｓ５０２で主制御部１０２は、停電時に給電する重要な緊急用電話機等が設置されている通信経路以外の中継装置２を特定するために、停電時給電受電情報登録部１０１を参照し、停電時給電受電情報（列３０３）に受電と登録されている中継装置２Ｂを、給電停止対象として抽出し、Ｓ５０３に進む。また、停電時給電受電情報登録部１０１を参照し、停電時給電受電情報（列３０３）に給電と登録されている中継装置２Ａを停電時に給電する重要な緊急用電話機等が設置されている通信経路として特定する。
【００４９】
Ｓ５０３で主制御部１０２は、通信システム内の電力を効率的に使用するために、重要通信経路でない中継装置２Ｂに接続された通信端末３Ｃ、３Ｄを停止するメッセージを表示する通知を送信し、中継装置２Ｂは、通信端末３Ｃ、３Ｄの給電を停止し、通信制御装置１は、中継装置２Ｂへの給電を停止する（Ｓ５０４）。この時、中継装置２Ｂは、内蔵のバックアップ電源である蓄電部２０５の電力供給で動作するため、内蔵のバックアップ電源の電力がある限り通信制御装置１とのデータ通信を継続することができる。
【００５０】
次にＳ５０５で主制御部１０２は、停電時にバックアップ電源電力が残っていて通信制御装置１に給電可能か否かの判断をする情報取得のために各ＬＡＮポートに接続された全ての中継装置２に対し、中継装置２に内蔵したバックアップ電源の電力量情報を取得する。
【００５１】
Ｓ５０６で主制御部１０２は、蓄電部１０５が供給可能な残電力量を確認し、通信制御装置１を動作させるための電力が不足していないかを判断する（Ｓ５０６）。通信制御装置１を動作させるための電力が不足していない場合（Ｓ５０６、ＮＯ）、通信制御装置１は、蓄電部１０５の電力で動作可能であり、Ｓ５０５に戻る。
【００５２】
蓄電部１０５が、通信制御装置１を動作させるための電力が不足している場合（Ｓ５０６、ＹＥＳ）は、Ｓ５０５で取得した残電力量情報より、残電力量が多い中継装置２があるか否かを判断（Ｓ５０７）し、残電力量が多いバックアップ電源を搭載した中継装置２Ｂから受電する処理に移行する（Ｓ５０７、ＹＥＳ）。
【００５３】
Ｓ５０８で主制御部１０２は、停電時給電制御部１０９に電力授受部１１２を給電モードから、受電モードに切替える指示をした後、残電力量が多いバックアップ電源を搭載した中継装置２Ｂに給電制御コマンド送信部１０３から起動コマンドを送信する（Ｓ５０９）。
【００５４】
中継装置２Ｂの給電制御コマンド受信部２０３で受信した起動コマンドにより、電力授受部２０２を給電モードに切替え、通信制御装置１の停電時給電制御部１０９は、電力授受部１１２を受電モードに切替え、残電力量が多いバックアップ電源を搭載した中継装置２Ｂから受電を開始する（Ｓ５１０）。
【００５５】
停電から復旧した場合（Ｓ５１１、ＹＥＳ）、主制御部１０２は、給電制御コマンド送信部１０３に対して、給電中の中継装置２Ｂに給電を停止する停止コマンドを送信する指示を行い、給電制御コマンド送信部１０３は、中継装置２Ｂに対して、データ送受信部１０４、スイッチ１０８、データ送受信部１１１，ＬＡＮポート１１３を介して、停止コマンドを送信（Ｓ５１２）後、中継装置２Ｂの給電制御コマンド受信部２０３で受信した停止コマンドにより電力授受部２０２を受電モードに切替え、通信制御装置１の停電時給電制御部１０９は、電力授受部１１２を給電モードに切替え、復旧した商用電源受電部１０７の電力を電源回路１０６経由で、中継装置２Ｂに給電を開始（Ｓ５１３）後、Ｓ５０１に戻る。
【００５６】
停電が継続している場合（Ｓ５１１、ＮＯ）、主制御部１０２は、Ｓ５０７で残電力量が多いと判断した受給電中継装置２Ｂの残電力量を確認するため、Ｓ５０５に戻り、取得した残電力量情報で、残電力量が多い中継装置２がない場合（Ｓ５０７，ＮＯ）、重要な通信先の通信端末３への電力供給ができなくなるため、通信可能残り時間を重要な通信先の通信端末３へ表示するメッセージを送信し、通信可能残り時間満了後、重要な通信先の通信端末３への電力を停止し（Ｓ５３１）、停電が復旧することを待つ。
【００５７】
尚、本実施例における通信システムは一例であって、本発明はこれに限定されなく、ＩＥＥＥ８０２．３ａｆ準拠のＰｏＥ（Ｐｏｗｅｒ  ｏｖｅｒ  Ｅｔｈｅｒｎｅｔ（登録商標）） 機能を有するブリッジ装置、ルータ内蔵ハブ装置などにも適用可能である。
【００５８】
以上説明した通り、本発明によれば、停電時、予め登録した給電受電情報に応じて、自動的に電力授受を切替えることで、通信システム内に分散した余剰電力源から重要な緊急用電話機等の優先度の高い通信経路の電力供給を確実に継続することが可能である。
【符号の説明】
【００５９】
１・・・通信制御装置
２Ａ・・・中継装置
２Ｂ・・・中継装置
３Ａ・・・通信端末
３Ｂ・・・通信端末
３Ｃ・・・通信端末
３Ｄ・・・通信端末
１０１・・・停電時給電受電情報登録部
１０２・・・主制御部
１０３・・・給電制御コマンド送信部
１０４・・・データ送受信部
１０５・・・蓄電部
１０６・・・電源回路
１０７・・・商用電源受電部
１０８・・・スイッチ
１０９・・・停電時給電制御部
１１０・・・停電検知部
１１Ａ・・・ＬＡＮ回線対応部
１１Ｂ・・・ＬＡＮ回線対応部
１１１・・・データ送受信部
１１２・・・電力授受部
１１３・・・ＬＡＮポート
２０１・・・ＬＡＮポート（Ｕｐ）
２０２・・・電力授受部
２０３・・・給電制御コマンド受信部
２０４・・・データ送受信部
２０５・・・蓄電部
２０６・・・電源回路
２０７・・・商用電源受電部
２０８・・・スイッチ
２１Ａ・・・ＬＡＮ回線対応部
２１Ｂ・・・ＬＡＮ回線対応部
２１１・・・データ送受信部
２１２・・・給電部
２１３・・・ＬＡＮポート（Ｄｏｗｎ）
【図１】
2015192358.tif 000003
【図２】
2015192358.tif 000004
【図３】
2015192358.tif 000005
【図４】
2015192358.tif 000006
【図５】
2015192358.tif 000007
【図６】
2015192358.tif 000008